(57)【要約】【課題】従来よりも構造が簡単で、ブーツ締付作業を効率よく行うことができる等速自在継手用ブーツバンドを提供する。【解決手段】リング状のバンド本体２の接合部２ａに固定されたレバー３の先端部に、厚み方向に貫通する係合穴３ａを設け、バンド本体２にはその外周面から径方向外側に突出する係合爪４を設けて、レバー３を倒すだけで、その係合穴３ａとバンド本体２の係合爪４が係合して、レバー３の先端部がバンド本体２に固定され、バンド本体２が縮径してブーツの大径筒部１６ａを締め付ける構成とした。これにより、ブーツ締付作業の際に、従来のバックルでレバー先端部を押さえる工程を省略できるし、バックルが不要となる分だけ、従来よりも部品点数を削減することができる。【選択図】図６
2019002550.tif 000002
【特許請求の範囲】
【請求項１】
帯状部材の一面の両端部どうしが対向する状態で接合されてなるリング状のバンド本体と、前記バンド本体の接合部の周方向一側の外面に固定されたレバーとを備え、前記バンド本体が等速自在継手を覆うブーツの所定位置の表面に装着された状態で、前記レバーの基端とバンド本体との接触位置を支点としてレバーをバンド本体の外周面に重ね合わせるように倒すことにより、前記バンド本体が縮径して前記ブーツを締め付ける等速自在継手用ブーツバンドにおいて、
前記レバーの先端部には、その厚み方向に貫通する係合穴が設けられており、前記バンド本体には、その外周面から径方向外側に突出し、前記レバーを倒したときに前記係合穴と係合する係合爪が設けられていることを特徴とする等速自在継手用ブーツバンド。
【請求項２】
前記レバーは、その先端から前記係合穴に達するスリットが設けられていることを特徴とする請求項１に記載の等速自在継手用ブーツバンド。
【請求項３】
前記レバーのスリットの側壁は、前記バンド本体の外周面に重ねられる側の開口縁部が面取りされていることを特徴とする請求項２に記載の等速自在継手用ブーツバンド。
【請求項４】
前記バンド本体の係合爪は、その先端部がバンド本体の周方向一側を向くように屈曲していることを特徴とする請求項１乃至３のいずれかに記載の等速自在継手用ブーツバンド。
【発明の詳細な説明】
【技術分野】
【０００１】
本発明は、等速自在継手を覆うブーツを締め付けて固定するためのブーツバンドに関する。
【背景技術】
【０００２】
自動車や各種産業機械における動力伝達に用いられる摺動型あるいは固定型の等速自在継手は、通常、内部に充填した潤滑剤としてのグリースの漏れを防止するとともに、内部にダストや水等の異物が侵入することを防止するため、ブーツを装着して使用する。
【０００３】
上記の等速自在継手用のブーツは、等速自在継手の外側継手部材としての外輪の外周に取り付けられる大径筒部と、駆動軸または従動軸としてのシャフトの外周に取り付けられる小径筒部と、これらの両筒部を連結する膜状部とからなる。そして、その大径筒部および小径筒部が、それぞれブーツバンドで締め付けられて外輪およびシャフトの外周に密着した状態で固定されるようになっている。
【０００４】
上記のように等速自在継手を覆うブーツを締め付けて固定するブーツバンドは、レバー式と呼ばれるものが広く用いられている（例えば、特許文献１参照。）。図８は一般的なレバー式ブーツバンド５１のブーツ締付作業前の状態を示す。このブーツバンド５１は、図８（ａ）に示すように、金属製の帯状部材の一面の両端部どうしが対向する状態で接合されてなるリング状のバンド本体５２と、バンド本体５２の接合部５２ａの周方向一側の外面に長手方向の中央部を固定された円弧状のレバー５３と、バンド本体５２の周方向の所定位置に溶接等によって固着されたバックル５４とからなる。バックル５４は、図８（ｂ）に示すように、断面コの字状に形成されており、そのコの字断面の内側にバンド本体５２を通し、開口がバンド本体５２の径方向外側を向く姿勢で、溶接等によってバンド本体５２に固着されている。
【０００５】
そして、ブーツを締め付けて等速自在継手の外輪やシャフトの外周に固定する際には、図９（ａ）に示すように、バンド本体５２をブーツ５５の所定位置の表面に装着した状態で、レバー５３の基端とバンド本体５２との接触位置を支点としてレバー５３をバンド本体５２の外周面に重ね合わせるように倒すことにより、バンド本体５２が縮径してブーツ５５を締め付けると同時に、レバー５３の先端部がバックル５４のコの字断面の内側に嵌まり込むようになっている。そして、レバー５３を倒した後に、図９（ｂ）にも示すように、バックル５４の両側の側壁５４ａをコの字断面の内側へ折り曲げることにより、レバー５３の先端部がバンド本体５２に固定されて、ブーツ５５を締め付けた状態を保持することができる。
【０００６】
また、上記図８および図９に示した一般的な構成のレバー式ブーツバンド５１のほか、その一部に改良を加えたものも種々使用されている。例えば、図１０に示すブーツバンド５６は、バンド本体５２の接合部５２ａ近傍の内周に三角形状の突起５７を設けて、レバー５３を倒したときに、レバー５３の基端（支点）付近でバンド本体５２の内周とブーツ５５の外周との間に生じる空間Ｘ（図９（ａ）参照）が突起５７で埋められるようにしたものである。一方、図１１に示すブーツバンド５８は、バンド本体５２の接合部５２ａ付近の内周に沿う円弧状のプレート５９を、その一端部でバンド本体５２の内周に固定したものである。これらのブーツバンドでは、レバー５３を倒してブーツ５５を締め付けたときに、レバー５３基端付近のバンド本体５２内周側に生じる空間Ｘ（図９（ａ）参照）にブーツ５５の一部が入り込んでしまうことがないので、等速自在継手のブーツ５５の締め代（緊迫力）が部分的に小さくなることによるグリースの漏れや異物の侵入が生じにくい。
【先行技術文献】
【特許文献】
【０００７】
【特許文献１】特公昭５０−１４７０２号公報
【発明の概要】
【発明が解決しようとする課題】
【０００８】
ところで、上述したような従来の等速自在継手用のブーツバンドでは、いずれも製造時にレバーおよびバックルをバンド本体に溶接等によって固着しておく必要があり、また、ブーツを締め付けて等速自在継手の外輪やシャフトの外周に固定する際には、レバーを倒した後に、レバーの先端部を押さえるようにバックルの両側の側壁を折り曲げて、レバー先端部をバンド本体に固定する必要があり、構造の簡素化およびブーツ締付作業の効率化の点で改善の余地があった。
【０００９】
そこで、本発明は、従来よりも構造が簡単で、ブーツ締付作業を効率よく行うことができる等速自在継手用ブーツバンドを提供することを課題とする。
【課題を解決するための手段】
【００１０】
上記の課題を解決するために、本発明は、帯状部材の一面の両端部どうしが対向する状態で接合されてなるリング状のバンド本体と、前記バンド本体の接合部の周方向一側の外面に固定されたレバーとを備え、前記バンド本体が等速自在継手を覆うブーツの所定位置の表面に装着された状態で、前記レバーの基端とバンド本体との接触位置を支点としてレバーをバンド本体の外周面に重ね合わせるように倒すことにより、前記バンド本体が縮径して前記ブーツを締め付ける等速自在継手用ブーツバンドにおいて、前記レバーの先端部には、その厚み方向に貫通する係合穴が設けられており、前記バンド本体には、その外周面から径方向外側に突出し、前記レバーを倒したときに前記係合穴と係合する係合爪が設けられている構成を採用した。
【００１１】
上記の構成によれば、ブーツ締付作業の際には、レバーを倒すだけで、その先端部の係合穴とバンド本体の外周面から突出する係合爪が係合することにより、レバーの先端部がバンド本体に固定されるので、従来のバックルでレバー先端部を押さえる工程を省略することができるし、バックルが不要となる分、従来よりも部品点数の少ない簡単な構造とすることができる。
【００１２】
ここで、前記レバーは、その先端から前記係合穴に達するスリットが設けられている構成とすることが望ましい。このようにすれば、レバーを倒して係合穴を係合爪に係合させようとするときに、スリットの幅が広がるようにレバーの先端部が弾性変形するので、スリットを設けない場合に比べて、係合に必要な力が小さくなるし、係合穴の周縁部で係合爪を押しつぶすおそれが少なくなり、楽にかつ確実にレバー先端部をバンド本体に固定することができる。
【００１３】
そして、上記のようにレバーの先端部にスリットを設ける場合、前記レバーのスリットの側壁は、前記バンド本体の外周面に重ねられる側の開口縁部が面取りされている構成とするとよい。このようにすれば、係合穴を係合爪に係合させるときに必要な力が一層小さくなるし、係合爪は一層押しつぶされにくくなり、より楽にかつ確実にレバー先端部をバンド本体に固定できるようになる。
【００１４】
また、前記バンド本体の係合爪は、その先端部がバンド本体の周方向一側を向くように屈曲しているものとすることが望ましい。このようにすれば、係合爪は、その先端部がレバーの係合穴の先端側縁部に重なる状態で係合穴と係合して、係合穴から抜けにくくなるので、より安定した状態でブーツを締め付けておくことができる。
【発明の効果】
【００１５】
本発明の等速自在継手用ブーツバンドは、上述したように、リング状のバンド本体の接合部に固定されたレバーの先端部に、厚み方向に貫通する係合穴を設け、バンド本体にはその外周面から径方向外側に突出する係合爪を設けて、レバーを倒すだけで、その係合穴とバンド本体の係合爪が係合することにより、レバー先端部がバンド本体に固定されるようにしたものであるから、ブーツ締付作業の際には、従来のバックルでレバー先端部を押さえる工程がなく、効率よく作業を行うことができるし、バックルが不要となる分、従来よりも部品点数の少ない簡単な構造のものとすることができる。
【図面の簡単な説明】
【００１６】
【図１】実施形態のブーツバンドを適用した等速自在継手の正面断面図
【図２】図１のブーツバンドのブーツ締付作業前の状態を示す側面図
【図３】（ａ）は図２のレバーの先端部の平面図、（ｂ）は（ａ）のIIIb−IIIb線に沿った断面図、（ｃ）は（ａ）のIIIc−IIIc線に沿った断面図
【図４】（ａ）は図２のバンド本体の要部の平面図、（ｂ）は（ａ）のIVb−IVb線に沿った断面図
【図５】図２のブーツバンドを用いたブーツ締付作業を説明する斜視図
【図６】図２のブーツバンドのブーツ締付状態を示す側面図
【図７】（ａ）は図６のブーツバンドの要部の平面図、（ｂ）は（ａ）のVIIb−VIIb線に沿った断面図、（ｃ）は（ａ）のVIIc−VIIc線に沿った断面図
【図８】（ａ）は従来のブーツバンドのブーツ締付作業前の状態を示す側面図、（ｂ）は（ａ）のVIIIb−VIIIb線に沿った断面図
【図９】図８のブーツバンドのブーツ締付状態を示す側面図、（ｂ）は（ａ）のIXb−IXb線に沿った断面図
【図１０】従来の別のブーツバンドのブーツ締付作業前の状態を示す側面図
【図１１】従来のさらに別のブーツバンドのブーツ締付作業前の状態を示す側面図
【発明を実施するための形態】
【００１７】
以下、図面に基づき、本発明の実施形態を説明する。図１は、実施形態のブーツバンド１、１’を適用した等速自在継手（等速ジョイント）を示す。この等速自在継手は、外側継手部材としての外輪１１と、外輪１１の径方向内側に組み込まれる内側継手部材としての内輪１２と、外輪１１と内輪１２の間に組み込まれる複数のトルク伝達用のボール１３と、各ボール１３を等間隔で回転自在に保持するケージ１４とを備え、その外輪１１の閉塞側端部の軸方向外側に駆動軸（図示省略）と連結される軸部１１ａを形成し、内輪１２の内周に従動軸となるシャフト１５の一端部を嵌め込んだ固定型のものであり、外輪１１とシャフト１５とが相対傾動できるようになっている。そして、内部には潤滑剤としてのグリース（図示省略）が充填され、そのグリースの漏れ防止および内部への異物の侵入防止のために、ブーツ１６が装着されている。
【００１８】
前記ブーツ１６は、外輪１１の開放側端部に取り付けられる大径筒部１６ａと、シャフト１５の一端部と所定の軸方向距離をおいて設けられたブーツ取付部１５ａに取り付けられる小径筒部１６ｂと、これらの両筒部１６ａ、１６ｂを連結する蛇腹状の膜状部１６ｃとからなる。そして、その大径筒部１６ａおよび小径筒部１６ｂが、それぞれブーツバンド１、１’で締め付けられて外輪１１の開放側端部の外周およびシャフト１５のブーツ取付部１５ａの外周に密着した状態で固定されるようになっている。
【００１９】
なお、このブーツ１６はゴム製のものでも樹脂製のものでもよい。ゴム製の場合はブーツ表面硬さがＨＳ５０〜ＨＳ７０のものが好ましい。表面硬さがＨＳ５０よりも小さいとブーツが十分な強度を得られず、表面硬さがＨＳ７０よりも大きいと耐疲労性が低下するようになるからである。一方、樹脂製の場合はブーツ表面硬さがＨＤ３８〜ＨＤ５０のものが好ましい。表面硬さがＨＤ３８よりも小さいと十分な耐熱性や強度が得られないうえコストアップとなり、表面硬さがＨＤ５０よりも大きいと耐疲労性、柔軟性および組付性が低下するようになるからである。
【００２０】
ここで、実施形態のブーツバンド１ 、１’は、径方向寸法が異なるだけで、構成およびブーツ締付作業は同じなので、以下、ブーツ１６の大径筒部１６ａを固定するブーツバンド１について説明する。
【００２１】
このブーツバンド１は、図２に示すように、金属製の帯状部材の一面の両端部どうしが対向する状態で接合されてなるリング状のバンド本体２と、バンド本体２の接合部２ａの周方向一側の外面に長手方向の中央部を固定された円弧状のレバー３とからなる。
【００２２】
前記レバー３は、図２および図３（ａ）〜（ｃ）に示すように、その先端部の幅方向中央部に厚み方向に貫通する平面視矩形の係合穴３ａが設けられるとともに、先端から係合穴３ａに達するスリット３ｂが係合穴３ａの幅よりもやや狭い幅で設けられている。そして、スリット３ｂの幅方向両側の側壁は、バンド本体２の外周面に重ねられる側の開口縁部が面取りされている。その面取り部３ｃは、後述するように締付作業をしやすくするために、面取り角度αが４５°以上（好ましくは４５°〜５５°）とされている。
【００２３】
前記バンド本体２は、図２および図４（ａ）、（ｂ）に示すように、その周方向の所定位置の外周面から径方向外側に突出する係合爪４が設けられている。係合爪４は、バンド本体２の幅方向中央部を切り起こして、レバー３の係合穴３ａの幅よりもわずかに狭く、スリット３ｂよりも広い幅で形成したもので、平面視矩形の傾斜部４ａがバンド本体２から斜め方向に延び、その傾斜部４ａの先端に連続する先端部４ｂがバンド本体２の周方向一側を向くように屈曲している（屈曲部）。その傾斜部４ａがバンド本体２から立ち上がる角度は、後述するように係合爪４がレバー３の係合穴３ａに係合したときに先端部４ｂがレバー３を押さえ付けるように、傾斜部４ａの長さとレバー３の厚みに応じて設定される（この例では１５°〜２０°程度に設定されている）。また、先端部４ｂは、その先端縁が円弧状に形成されている。
【００２４】
次に、このブーツバンド１によるブーツ締付作業について説明する。このブーツ締付作業では、等速自在継手の外輪１１の開放側端部を覆うブーツ１６の大径筒部１６ａの表面にブーツバンド１のバンド本体２を装着した状態で、ブーツバンド１のレバー３を、その基端とバンド本体２との接触位置（レバー３のバンド本体２側の端部）を支点として、バンド本体２の外周面に重ね合わせるように倒す（図２の矢印参照）。
【００２５】
レバー３を倒すと、バンド本体２が縮径してブーツ１６の大径筒部１６ａを締め付けながら、図５に示すように、レバー３の係合穴３ａが設けられた先端部が、バンド本体２の係合爪４が設けられた位置に重なっていく。そして、レバー３の係合穴３ａの先端側縁部が係合爪４の先端部４ｂに押し付けられると、係合爪４の傾斜部４ａが撓むとともに、レバー３の先端部が弾性変形してスリット３ｂの幅が広がることにより、係合爪４の先端部４ｂがレバー３のスリット３ｂを通過する。
【００２６】
すると、図６および図７（ａ）〜（ｃ）に示すように、バンド本体２の係合爪４の傾斜部４ａが弾性変形により自然状態よりもわずかに大きく傾斜した状態で、係合爪４の屈曲部（傾斜部４ａと先端部４ｂとの間にある屈曲部分）の内径側がレバー３の係合穴３ａの先端側縁部（スリット３ｂの端面部分）と周方向で当接するとともに、係合爪４の先端部４ｂが係合穴３ａの先端側縁部を径方向内側へ押さえ付けることにより、レバー３の係合穴３ａとバンド本体２の係合爪４が係合し、ブーツ１６の大径筒部１６ａが締め付けられて外輪１１に固定された状態となる。
【００２７】
なお、このブーツバンド１で固定されたブーツ１６の補修等による交換等の際には、レバー３の先端部を変形させてスリット３ｂの幅を広げることにより、ブーツバンド１をブーツ１６から容易に取り外すことができる。
【００２８】
この等速自在継手用ブーツバンド１は、上記の構成であり、レバー３を倒すだけで、その先端部に設けた係合穴３ａとバンド本体２に設けた係合爪４が係合して、レバー３の先端部がバンド本体２に固定されるので、ブーツ締付作業の際には、従来のバックルでレバー先端部を押さえる工程がなく効率よく作業できるし、バックルが不要となる分だけ従来よりも部品点数を削減することができ、さらにそのバックルをバンド本体に溶接等により固着させる工程も削減できる。
【００２９】
ここで、このブーツバンド１のレバー３には、その先端から係合穴３ａに達するスリット３ｂを設け、そのスリット３ｂの両側壁のバンド本体２側の開口縁部を面取りしているので、レバー３を倒して係合穴３ａと係合爪４を係合させる際に必要な力が小さくてすみ、係合穴３ａの周縁部で係合爪４を押しつぶすおそれがない。このため、楽にかつ確実にレバー３先端部をバンド本体２に固定することができる。
【００３０】
また、レバー３の係合穴３ａをバンド本体２の係合爪４に係合させると、係合爪４が弾性力によりその先端部４ｂで係合穴３ａの先端側縁部を径方向内側へ押さえ付けるようになっているので、一旦係合した係合爪４と係合穴３ａが容易に外れることはなく、安定したブーツ締付状態が得られる。
【００３１】
さらに、レバー３は、係合穴３ａが係合爪４に係合すると、係合穴３ａの先端側縁部が相対的に係合爪４に周方向で押されることにより、係合穴３ａの幅方向両側にある狭幅部が弾性的に伸びて、係合穴３ａが自然状態よりも周方向に長くなる。したがって、係合穴３ａの幅寸法を変更することにより、すなわち上述の狭幅部の幅を変更して剛性を変更できるので、係合爪４と係合したときの係合穴３ａの長さを変化させて、バンド本体２の縮径量（ブーツ締付強度）を調整することができる。
【００３２】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【００３３】
例えば、レバーは、ブーツ締付作業を容易にかつ確実に行えるようにするために、実施形態のように先端部にスリットや面取り部を設けることが望ましいが、そのスリットや面取り部を省略して構造をより簡略化することもできる。
【００３４】
また、バンド本体の係合爪は、安定したブーツ締付状態を得るために、実施形態のように先端部がバンド本体の周方向一側を向くように屈曲させることが望ましいが、全体を平板状のものとすれば製作が容易になる。
【００３５】
また、レバーの係合穴の形状は、実施形態のような平面視矩形のものに限らず、係合爪とワンタッチで係合できるものであればよく、例えば平面視円形のものとすることもできる。係合穴を円形とした場合、係合爪はそれに合わせて先端を絞った形状とすることが望ましい。
【００３６】
なお、本発明は、自動車のドライブシャフトやプロペラシャフトの動力伝達に用いられる等速自在継手等、摺動型あるいは固定型の等速自在継手のブーツの締付固定に利用されるレバー式ブーツバンドに広く適用できる。例えば、図１０に示したようにバンド本体の内周に突起を設けたものや、図１１に示したようにバンド本体の内周にプレートを固定したものも、実施形態と同様にバックルをなくし、レバーの係合穴とバンド本体の係合爪を係合させてブーツを締め付ける構成とすることができる。
【符号の説明】
【００３７】
１、１’  ブーツバンド
２  バンド本体
２ａ  接合部
３  レバー
３ａ  係合穴
３ｂ  スリット
３ｃ  面取り部
４  係合爪
４ａ  傾斜部
４ｂ  先端部
１６  ブーツ
１６ａ  大径筒部
【図１】
2019002550.tif 000003
【図２】
2019002550.tif 000004
【図３】
2019002550.tif 000005
【図４】
2019002550.tif 000006
【図５】
2019002550.tif 000007
【図６】
2019002550.tif 000008
【図７】
2019002550.tif 000009
【図８】
2019002550.tif 000010
【図９】
2019002550.tif 000011
【図１０】
2019002550.tif 000012
【図１１】
2019002550.tif 000013